(57)【要約】【課題】空調設備にカメラ等のセンサを設ける場合、空調設備を製造する過程で設ける必要があり、既設の空調設備に設置するのが困難であった。本発明は、既設の空調設備に容易にセンサ機器を設置可能な空調予約システムを提供することを目的とする。【解決手段】圧縮機１０６を備えた室外機１００と、室外機１００に接続された室内機２００とを備え、室内機２００には吸気口２３４を備えた化粧板２３３と、風向板２３６を有する吹出口２３５と、人の有無を検出する人感手段２２１と、室内機２００が設置された部屋の予約状況を表示する表示手段２２２とを備え、室内機２００に着脱可能なコーナーカバー２４０を設け、コーナーカバー２４０に人感手段２２１及び表示手段２２２を設けた。【選択図】  図２
2019082290.tif 000002
【特許請求の範囲】
【請求項１】
圧縮機を備えた室外機と、前記室外機に接続された室内機とを備え、
前記室内機には吸気口を備えた化粧板と、風向板を有する吹出口と、人の有無を検出する人感手段と、前記室内機が設置された部屋の予約状況を表示する表示手段とを備え、
前記室内機に着脱可能なカバーを設け、前記カバーに前記人感手段及び前記表示手段を設けたことを特徴とする空調予約システム。
【請求項２】
請求項１において、
前記化粧板は略正方形の板状であり、前記化粧板の四隅に前記カバーを配置し、前記カバーに前記人感手段及び前記表示手段を設けたことを特徴とする空調予約システム。
【請求項３】
請求項２において、
前記カバーには、前記人感手段の検出結果を送信する送信手段と、前記表示手段に表示される情報を受信する受信手段を設けたことを特徴とする空調予約システム。
【請求項４】
請求項１乃至３の何れか１項において、
前記表示手段は前記部屋の予約状況及び前記人感手段の検出結果に応じて表示内容が変更することを特徴とする空調予約システム。
【請求項５】
請求項４において、
前記表示手段は、前記部屋の予約時間終了を表示させる機能を備えたことをとする空調予約システム。
【請求項６】
請求項３において、
前記風向板を駆動する風向板駆動モータを備え、
前記人感手段、前記表示手段、前記送信手段、前記受信手段を駆動する電力は、前記風向板駆動モータへ供給される電力の一部を利用することを特徴とする空調予約システム。
【請求項７】
請求項１乃至３の何れか１項において、
前記室内機は前記部屋に複数台設置したことを特徴とする空調予約システム。
【請求項８】
請求項３において、
前記部屋の予約管理を行う管理サーバを備え、
前記送信手段は前記人感手段の検出結果を前記管理サーバに送信し、
前記管理サーバは前記部屋の予約状況及び前記人感手段の検出結果を加味し、前記表示手段に表示指令を行うことを特徴とする空調予約システム。
【請求項９】
請求項８において、
前記管理サーバに接続されたＰＣを備え、
前記管理サーバは前記部屋の予約状況と、前記人感手段の検出結果から前記部屋の利用状況の有無を判断し、前記部屋の予約状況及び前記部屋の利用状況を前記ＰＣに送信することを特徴とする空調予約システム。
【請求項１０】
請求項８において、
前記管理サーバは前記部屋の予約時間前に空調運転を開始するよう前記室内機及び前記室外機に指令を送信することを特徴とする空調予約システム。
【請求項１１】
請求項９において、
前記管理サーバは前記部屋の予約時間後に空調運転を停止するよう前記室内機及び前記室外機に指令を送信することを特徴とする空調予約システム。
【請求項１２】
請求項８において、
前記管理サーバに接続されたＰＣを備え、
前記管理サーバは前記部屋の予約状況、前記部屋の利用状況を前記ＰＣに表示させる機能を備えたことを特徴とする空調予約システム。
【請求項１３】
圧縮機を備えた室外機と、前記室外機に接続された室内機とを備え、
前記室内機には吸気口を備えた化粧板と、風向板を有する吹出口と、複数の発信手段を識別しその情報を受信する受信手段とを備え、
前記室内機に着脱可能なカバーを設け、前記カバーに前記受信手段を設けたことを特徴とする空調予約システム。
【請求項１４】
吸込口を有する着脱可能なカバーと、排気口と、ファンと、前記ファンを駆動するモータとを備えた換気装置と、室内のＣＯ２濃度を検出するＣＯ２検出手段とを備え、
前記ＣＯ２検出手段を前記カバーに設けたことを特徴とする換気システム。
【請求項１５】
吸気口を備えた室内機に着脱可能に設けられた前記室内機のカバーであって、
前記カバーには、人の有無を検出する人感手段と、前記室内機が設置された部屋の予約状況を表示する表示手段とを設けたことを特徴する室内機のカバー。
【請求項１６】
吸気口を備えた室内機に着脱可能に設けられた前記室内機のカバーであって、
前記カバーには、複数の発信手段を識別しその情報を受信する受信手段を設けたことを特徴する室内機のカバー。
【発明の詳細な説明】
【技術分野】
【０００１】
本発明は、空調予約システム、換気システム及び室内機のカバーに関する。
【背景技術】
【０００２】
オフィスビルやショッピングセンター等には、快適性を向上するために複数台の空調室内機が設置されている。空調室内機にはカメラや送受信機等の機器が取り付けられている。
【０００３】
カメラを設置した場合、カメラで画像を検出し、検出した画像データから、人が動いた軌跡や、どの位置をどれだけの頻度で人が通過したか等を分析し、商品配置やレイアウトの最適化に活用する。
【０００４】
このような技術として、例えば特許文献１がある。
【先行技術文献】
【特許文献】
【０００５】
【特許文献１】特開２０１５−６９５６１号公報
【発明の概要】
【発明が解決しようとする課題】
【０００６】
空調室内機には、吸込グリルや吹出口が形成されたパネルが取り付けられている。また、このパネルにはカメラが取り付けられている。
【０００７】
特許文献１に記載の技術においては、カメラは予めパネルに取り付けられているので、例えば既設の空調室内機に、新たにカメラ等のセンサ機器だけを設置することが困難である。カメラ等のセンサ機器を設けるためには、オフィスビルやショッピングセンター等に設置された空調設備を取り外し、センサ機器付きの空調設備を新たに導入する必要があり、導入コストが増加する課題があった。このため、カメラ等のセンサ機器を簡単に設置することが困難であった。
【０００８】
また、空調設備の製造にあたっては、カメラ等のセンサ機器が設置された機種と、カメラ等の機器が設置されていない機種を用意する必要がある。このため、生産コストが増加するといった課題があった。
【０００９】
本発明の目的は、前記課題を解決し、既設の空調設備に容易にセンサ機器を設置可能な空調予約システム及び換気システムを提供することにある。
【課題を解決するための手段】
【００１０】
前記目的を達成するために本発明の特徴とするところは、圧縮機を備えた室外機と、前記室外機に接続された室内機とを備え、前記室内機には吸込グリルを備えた化粧板と、風向板を有する吹出口と、人の有無を検出する人感手段と、前記室内機が設置された部屋の予約状況を表示する表示手段とを備え、前記室内機に着脱可能なカバーを設け、前記カバーに前記人感手段及び前記表示手段を設けたことにある。
【００１１】
また、本発明の特徴とするところは、吸込口を有する着脱可能なカバーと、排気口と、ファンと、前記ファンを駆動するモータとを備えた換気装置と、室内のＣＯ２濃度を検出するＣＯ２検出手段とを備え、前記ＣＯ２検出手段を前記カバーに設けたことにある。
【発明の効果】
【００１２】
本発明によれば、既設の空調設備に容易にセンサ機器を設置可能な空調予約システム及び換気システムを提供することができる。
【図面の簡単な説明】
【００１３】
【図１】本発明の第１実施例に係る空調システムの概略図である。
【図２】本発明の第１実施例に係る室内機の外観斜視図である。
【図３】本発明の第１実施例に係るコーナーカバーを外した室内機の部分拡大図である。
【図４】本発明の第１実施例に係るコーナーカバーの裏面に人感・表示ユニットを設置した状態を示す斜視図である。
【図５】本発明の第２実施例に係る空調予約管理システムのシステム概要図である。
【図６】本発明の第２実施例に係るＰＣ、管理サーバ、人感手段、表示手段の信号の流れを示す図である。
【図７】本発明の第２実施例に係る表示手段の表示内容の一例を示す図である。
【図８】本発明の第２実施例に係る管理サーバの処理フローを示す図である。
【図９】本発明の第２実施例に係る予約時間における表示内容を示す図である。
【図１０】本発明の第３実施例に係る会議室の利用状況の表示例である。
【図１１】本発明の第４実施例に係るＰＣ、管理サーバ、遠隔監視サーバ、室外機、室内機の信号の流れを示す図である。
【図１２】本発明の第５実施例に係る管理サーバ、遠隔監視サーバ、ＣＯ２検出手段、換気装置の信号の流れを示す図である。
【図１３】本発明の第６実施例に係るログデータの一例を図である。
【発明を実施するための形態】
【００１４】
以下、本発明に係る空調予約システムの実施例を図面に基づいて説明する。本発明は以下の実施例に限定されることなく、本発明の技術的な概念の中で種々の変形例や応用例もその範囲に含むものである。
【実施例１】
【００１５】
本発明の第１実施例について図１を用いて説明する。図１は本発明の第１実施例に係る空調システムの概略図である。
【００１６】
室外機１００には、商用電源に接続され電力を変換する電力変換装置１０１と、電力変換装置１０１に接続された室外機制御手段１０２と、室外機制御手段１０２に接続され、室外熱交換器１０３に通風するファン１０４を駆動するファンモータ１０５と、室外機制御手段１０２に接続され、冷媒を圧縮する圧縮機１０６が備えられている。空調システムには、冷媒配管が備えられているが、ここでは説明を省略する。
【００１７】
室外機１００には、複数の室内機２００（２００ａ、２００ｂ、２００ｃ、２００ｄ）が接続されている。
【００１８】
次に室内機２００の構成について説明する。本実施例では複数の室内機２００ａ、２００ｂ、２００ｃ、２００ｄがあるが、構成は全て同じであるので、ここでは室内機２００ａについて説明する。
【００１９】
室内機２００ａには、商用電源に接続され電力を変換する電力変換装置２０１と、電力変換装置２０１に接続された室内機制御手段２０２と、室内機制御手段２０２に接続され、室内熱交換器２０３に通風し、室内へ送風するファン２０４を駆動するファンモータ２０５と、室内機制御手段２０２に接続され、風向板を駆動する風向板駆動モータ２０６が備えられている。風向板駆動モータ２０６は室内に送風する風の向きを変更するものである。
【００２０】
室内機制御手段２０２と風向板駆動モータ２０６とを接続する電力線２０７には、電力線２０７から分岐した電力線２０８が接続されている。電力線２０８には第１接続部２０９が設けられている。第１接続部２０９は、電力線２１０を備えた第２接続部２１１と接続されている。電力線２１０は人感・表示制御手段２２０に接続されている。人感・表示制御手段２２０には、人の有無を検出する人感手段２２１と、部屋の予約状況や人の有無を表示する表示手段２２２が接続されている。表示手段２２２としては例えばＬＥＤを用いる。表示内容等については後述する。また、人感・表示制御手段２２０には、人感手段２２１の検出結果を送信する送信手段２２３と、表示手段２２２に表示させる情報を受信する受信手段２２４が接続されている。人感・表示制御手段２２０、人感手段２２１、表示手段２２２、送信手段２２３、受信手段２２４を駆動する電力は、風向板駆動モータ２０６へ供給される電力の一部を利用する。
【００２１】
次に図２乃至図４を用いて室内機及び人感・表示ユニットについて説明する。図２は本発明の第１実施例に係る室内機の外観斜視図である。図３は本発明の第１実施例に係るコーナーカバーを外した室内機の部分拡大図である。図４は本発明の第１実施例に係るコーナーカバーの裏面に人感・表示ユニットを設置した状態を示す斜視図である。
【００２２】
室内機２００の本体部２３０は正方形厚板の四隅部分を略正方形状に切欠いた形状を有しており、これら四隅の切欠き部分に、略Ｌ字状の４個の支持金具２３１が溶接されている。室内機２００を設置する箇所のコンクリートスラブには、４本の吊下ボルト（図示せず）が下方向に突出するように埋設されている。これら４本の吊下ボルトに支持金具２３１を貫通させ、吊下ボルトにナット２３２（図３）を螺合させると、本体部２３０が吊下ボルトに固定される。
【００２３】
本体部２３０の内部には、室内熱交換器２０３やファン２０４（図１）が内蔵されている。また、本体部２３０の下面には、略正方形板状の化粧板２３３が装着されている。化粧板２３３は樹脂で形成されている。化粧板２３３の中央部分には、スリットが形成された略正方形状の吸気口２３４が装着されている。また、吸気口２３４の各４辺と、化粧板２３３の周縁部との間には、４個の吹出口２３５が形成されている。４個の吹出口２３５には、それぞれ吹出口２３５から吹き出される風の向きを変える風向板２３６が備えられている。風向板２３６は風向板駆動モータ２０６によって駆動される。
【００２４】
化粧板２３３の四隅には、ほぼ同一寸法のカバー（コーナーカバー２４０）が着脱可能に嵌め込まれている。コーナーカバー２４０は樹脂で形成されている。これらのコーナーカバー２４０のうち、１つのコーナーカバー２４０ａには、人感・表示制御手段２２０、人感手段２２１、表示手段２２２、送信手段２２３、受信手段２２４が取り付けられている。これらのうち、人感手段２２１と表示手段２２２は、コーナーカバー２４０ａの表面から突出して設けられている。また、図４に示すように、人感・表示制御手段２２０、人感手段２２１、表示手段２２２、送信手段２２３、受信手段２２４は、収納ケース２２５に収納され、コーナーカバー２４０ａの裏面に取り付けられている。人感・表示制御手段２２０、人感手段２２１、表示手段２２２、送信手段２２３、受信手段２２４は、収納ケース２２５に収納されることにより、人感・表示ユニット２２６（図１）として構成される。人感・表示ユニット２２６の取付にあたっては、人感手段２２１と表示手段２２２の取付位置に穴開け加工を施し、形成した穴に人感手段２２１と表示手段２２２を位置させ、人感・表示ユニット２２６を取付ける。人感・表示ユニット２２６の固定は、接着剤や両面テープ等を用いる。本実施例では、このように簡単な加工で人感・表示ユニット２２６をコーナーカバー２４０ａの裏面に取り付けることができるので、既設の空調設備にもセンサ等の機器を設置することができる。収納ケース２２５からは電力線２１０と第２接続部２１１が突出して設けられている。コーナーカバー２４０ａの裏面には、爪を有した係合部２４１（２４１ａ、２４１ｂ、２４１ｃ）が形成されている。係合部２４１（２４１ａ、２４１ｂ、２４１ｃ）は樹脂で形成されている。
【００２５】
また、コーナーカバー２４０ａが取り付けられる本体部２３０には、図３に示すように、係合孔２３７（２３７ａ、２３７ｂ、２３７ｃ）と、本体部２３０の内部と連通する開口部２３８が形成されている。本体部２３０からコーナーカバー２４０ａが取り外された状態では、支持金具２３１と吊下ボルトが露出し、吊下ボルトにナット２３２を締め付ける作業を行うことができる。そして、コーナーカバー２４０ａが本体部２３０に取り付けられることにより、支持金具２３１、吊下ボルト、ナット２３２が覆われる。コーナーカバー２４０ａを本体部２３０に取り付けるにあたっては、コーナーカバー２４０ａの裏面に形成した係合部２４１ａ、２４１ｂ、２４１ｃを、樹脂の弾性変形を利用して係合孔２３７ａ、２３７ｂ、２３７ｃに挿入し、係合部２４１ａ、２４１ｂ、２４１ｃに形成された爪が、係合孔２３７ａ、２３７ｂ、２３７ｃの開口縁に引っ掛かることにより、コーナーカバー２４０ａが本体部２３０に取り付けられる。
【００２６】
本体部２３０からコーナーカバー２４０ａを取り外す場合は、係合部２４１ａ、２４１ｂ、２４１ｃと係合孔２３７ａ、２３７ｂ、２３７ｃの引っ掛かりを解除することにより、容易にコーナーカバー２４０ａを本体部２３０から取り外すことができる。その他のコーナーカバー２４０ｂ、２４０ｃ、２４０ｄについても同様である。
【００２７】
前述したようにコーナーカバー２４０ａの裏面には、電力線２１０と第２接続部２１１が突出して設けられている。人感・表示ユニット２２６への電力供給は電力線２１０と第２接続部２１１を介して行われる。第２接続部２１１は、電力線２０７から分岐された電力線２０８の第１接続部２０９と接続する。そして、人感・表示ユニット２２６に電力が供給される。人感・表示ユニット２２６を駆動する電力は、風向板駆動モータ２０６へ供給される電力の一部を利用する。第１接続部２０９と第２接続部２１１とを接続するにあたっては、開口部２３８を通して行う。開口部２３８は本体部２３０の内部と連通しているので、この開口部２３８から電力線２１０と第２接続部２１１とを本体部２３０へ引き込み、第１接続部２０９と接続する。
【００２８】
以上説明したように、第１実施例によれば、既設の空調設備に容易にセンサ機器を設置することができる。
【実施例２】
【００２９】
次に第１実施例で説明した人感・表示ユニットを利用した例について図５を用いて説明する。図５は本発明の第２実施例に係る空調予約システムのシステム概要図である。本実施例では、オフィスビルに設置された複数の会議室の例を用いて説明する。
【００３０】
図５において、オフィスビルには部屋として複数の会議室３０１、３０２が設置されている。本実施例では２つの会議室としているが、３つ以上の会議室を設置しても良い。会議室３０１には空調設備として１台もしくは複数谷の室内機が設置されている。本実施例では２台の室内機２００ａ、２００ｂが設置されている。同様に会議室３０２には２台の室内機２００ｃ、２００ｄが設置されている。室内機２００ａ、２００ｂ、２００ｃ、２００ｄには、それぞれ第１実施例で説明した人感・表示ユニット２２６が搭載されている。
【００３１】
ネットワーク４００には、ルーター４１０が接続され、このルーター４１０には複数のアクセスポイント４１１（４１１ａ、４１１ｂ）が接続されている。
人感・表示ユニット２２６に備えられた送信手段２２３（２２３ａ、２２３ｂ）、受信手段２２４（２２４ａ、２２４ｂ）は、アクセスポイント４１１に無線で接続し、情報の送受信を行う。無線通信方法としては、ｗｉｆｉ（登録商標）やブルートゥース（登録商標）等を使用する。
【００３２】
また、ネットワーク４００には複数のＰＣ４１２（４１２ａ、４１２ｂ、４１２ｃ）が接続されている。本実施例においては、ＰＣ４１２は会議室３０１、３０２の予約申請、予約取消、予約状況の確認、利用状況の確認を行うために利用する。
【００３３】
管理サーバ４２０は、ネットワーク４００に接続され、会議室３０１、３０２の予約及び取消管理、利用状況に管理を行う。
【００３４】
室外機１００には、遠隔監視サーバ４３０が接続されている。遠隔監視サーバ４３０は、室内機２００ａ、２００ｂ、２００ｃ、２００ｄの運転状況、設定温度、利用時間等の情報を監視したり、室内機の運転停止、温度設定等を行う。
【００３５】
次に空調予約管理システムの動作について、図６乃至図８を用いて説明する。図６は本発明の第２実施例に係るＰＣ、管理サーバ、人感手段、表示手段の信号の流れを示す図である。
【００３６】
会議室予約システムの従来技術として、例えば特開２０１５−７９３１９号公報に記載の技術が提案されている。この従来技術には、予約済みでありながら利用されていない会議室を特定し、会議室を有効利用することが記載されている。従来技術では、会議室を使用している利用者が、会議室の予約終了時間が迫っていること、会議室の予約時間を経過していることを容易に把握することについては考慮されていなかった。この従来技術の課題は、以下説明する第２実施例によって解決することができる。
【００３７】
図６において、会議室の予約は例えば、電子メール・予定管理ソウフトがインストールされているＰＣ４１２から行う。会議室の予約は、使用する会議室名（会議室Ａ、会議室Ｂ・・・）、日時等を指定し、管理サーバに登録する。
【００３８】
会議室３０１（会議室Ａ）には２台の室内機２００ａ、２００ｂが設置されており、室内機２００ａ、２００ｂに設置された人感手段２２１ａ、２２１ｂが、人の有無を検出し、検出結果をリアルタイムで管理サーバ４２０へ送信する。
【００３９】
また、管理サーバ４２０は、人感手段２２１ａ、２２１ｂから受信した情報、及び会議室の予約状況を加味し、表示手段２２２ａ、２２２ｂに表示指令を送信する。
【００４０】
各人感手段２２１ａ、２２１ｂ、表示手段２２２ａ、２２２ｂには、各会議室に対応したアドレスが予め付与されているので、どの会議室のどの場所に設置されている人感手段、表示手段なのか、その場所を特定することができる。
【００４１】
また、ＰＣ４１２からは会議室の利用状況を管理サーバ４２０に要求すると、会議室の利用状況に関するデータをＰＣ４１２に送信する。会議室の利用状況のデータは例えば３０秒毎に更新される。
【００４２】
次に表示手段２２２ａ、２２２ｂの表示内容について、図７を用いて説明する。表示手段２２２ａ、２２２ｂの表示内容は、会議室の予約の有無、人感手段２２１による人検出の有無、会議予約時間の終了時間によって変化する。
【００４３】
図７は本発明の第２実施例に係る表示手段の表示内容の一例を示す図である。表示パターン１として、会議室が予約され人の検出が無い場合、表示手段２２２は青色表示を行う。表示パターン２として、会議室が予約され、人の検出が有り場合、表示手段２２２は緑色表示を行う。表示パターン３として、会議室が予約されておらず、人の検出が有り場合、表示手段２２２は赤色表示を行う。表示パターン４として、人の検出が有りで会議室の予約終了時間が５分前（所定時間）になると、表示手段２２２は赤色点滅表示を行う。表示パターン５として、会議室の予約終了時間が１分前（所定時間）になると、表示手段２２２は赤色表示を行う。表示手段２２２は会議室の予約時間終了を表示する機能を備えている。表示パターン６として、会議室が予約され人の検出が無く、会議の予約終了時間が５分前の場合、表示手段２２２は青色表示を行う。表示パターン７として、会議室が予約され人の検出が無く、会議の予約終了時間が１分前の場合、表示手段２２２は青色表示を行う。
【００４４】
次に管理サーバ４２０の処理について、図８を用いて説明する。図８は本発明の第２実施例に係る管理サーバの処理フローを示す図である。図８では、会議室３０１（会議室Ａ）に設置された室内機１の例で説明するが、他の室内機についても同様である。
【００４５】
図８において、会議室Ａが予約された時間か否かを判断する（Ｓ５０１）。Ｓ５０１において、「Ｎｏ」であれば、人感手段２２１ａの検出結果を参照する（Ｓ５０２）。Ｓ５０２において、「Ｎｏ」であれば、表示手段２２２ａに消灯を指令する（Ｓ５０３）。指令処理後、Ｓ５０１の処理を実行する。Ｓ５０２において、「Ｙｅｓ」であれば、表示手段２２２ａに赤色表示を指令する（Ｓ５０４）。指令処理後、Ｓ５０１の処理を実行する。
【００４６】
Ｓ５０１において、「Ｙｅｓ」であれば、会議終了５分前であるか否かを判断する（Ｓ５０５）。Ｓ５０５において、「Ｎｏ」であれば、人感手段２２１ａの検出結果を参照する（Ｓ５０６）。Ｓ５０６において、「Ｎｏ」であれば、表示手段２２２ａに青色表示を指令する（Ｓ５０７）。指令処理後、Ｓ５０１の処理を実行する。Ｓ５０６において、「Ｙｅｓ」であれば、表示手段２２２ａに緑色表示を指令する（Ｓ５０８）。指令処理後、Ｓ５０１の処理を実行する。
【００４７】
Ｓ５０５において、「Ｙｅｓ」であれば、会議終了１分前であるか否かを判断する（Ｓ５０９）。Ｓ５０９おいて、「Ｎｏ」であれば、人感手段２２１ａの検出結果を参照する（Ｓ５１０）。Ｓ５１０において、「Ｎｏ」であれば、表示手段２２２ａに青色表示を指令する（Ｓ５１１）。指令処理後、Ｓ５０１の処理を実行する。Ｓ５１０において、「Ｙｅｓ」であれば、表示手段２２２ａに赤色点滅表示を指令する（Ｓ５１２）。指令処理後、Ｓ５０１の処理を実行する。
【００４８】
Ｓ５０９において、「Ｙｅｓ」であれば、会議終了であるか否かを判断する（Ｓ５１３）。Ｓ５１３おいて、「Ｎｏ」であれば、人感手段２２１ａの検出結果を参照する（Ｓ５１４）。Ｓ５１４において、「Ｎｏ」であれば、表示手段２２２ａに青色表示を指令する（Ｓ５１５）。指令処理後、Ｓ５０１の処理を実行する。Ｓ５１４において、「Ｙｅｓ」であれば、表示手段２２２ａに赤色表示を指令する（Ｓ５１６）。指令処理後、Ｓ５０１の処理を実行する。
【００４９】
次に時間と表示内容の変化について、図９を用いて説明する。図９は本発明の第２実施例に係る予約時間における表示内容を示す図である。
【００５０】
図９において、例えば会議室３０１（会議室Ａ）には、連続して予約Ａと予約Ｂが設定されている。
【００５１】
表示例１において、会議室の予約時間になり人の検出が無い場合は、表示手段２２２ａは青色に点灯する。その後、人が検出されると、表示手段２２２ａは緑色点灯に変化する。会議室の予約終了時間が近づき、予約終了５分前になると、表示手段２２２ａは赤色点滅に変化する。さらに予約時間終了１分前になると、表示手段２２２ａは赤色点灯に変化する。予約Ｂの時間になり、予約Ｂの予約者を検知すると、表示手段２２２ａは緑色に変化する。
【００５２】
表示例２において、予約Ａについては表示例１と同様である。予約Ａの時間が経過し、次に予約が入っていない場合、人の検出が無い場合には、表示手段２２２ａは消灯する。
【００５３】
表示例３として、会議室が予約されておらず人の検出が無い場合、表示手段２２２ａは消灯する。その後、人が検出されると、表示手段２２２ａは赤色点灯に変化する。人の検出が無くなると表示手段２２２ａは消灯する。会議室の予約時間になり、人の検出が無い場合には、表示手段２２２ａは青色点灯に変化する。その後、人が検出されると、表示手段２２２ａは緑色点灯に変化する。
【００５４】
以上のように、第２実施例によれば、会議室の予約状況、会議室の予約終了時間を表示手段に表示させるようにしているので、利用者は会議室の利用状況を容易に把握することができる。
【実施例３】
【００５５】
次に、第３実施例について、図１０を用いて説明する。図１０は本発明の第３実施例に係る会議室の利用状況の表示例である。
【００５６】
図６にて説明したようにＰＣ４１２から管理サーバ４２０へ会議室の利用状況の確認を要求すると、管理サーバ４２０は会議室の利用状況に関するデータをＰＣ４１２に送信する。その表示例が図１０である。この表示内容は、例えば３０秒毎に更新させる。
【００５７】
図１０において、表示画面には会議室Ａから会議室Ｈが表示されている。各会議室には２台の室内機が設置されており、それぞれに人感手段２２１が設置されている。表示画面には会議室の予約状況、人感手段２２１の検出状況が表示される。利用有とは、人感手段２２１が人を検出していることを示すものであり、利用無とは人感手段２２１が人を検出していないことを示すものである。管理サーバ４２０は人感手段２２１の検出結果から会議室の利用状況の有無を判断する。
【００５８】
例えば、会議室Ａは予約済みであり、半分のスペースが利用され、残り半分のスペースは利用されていない状況である。会議室Ｂは予約済みであり、全てのスペースが利用されている状況である。会議室Ｃ及び会議室Ｅは、予約済みであるが、全てのスペースで利用されていない状況である。会議室Ｄ及び会議室Ｆは予約がされておらず、全てのスペースで利用されていない状況である。会議室Ｇは予約がされていないが、半分のスペースが利用されている状況である。会議室Ｈは予約がされていないが、全てのスペースが利用されている状況である。
【００５９】
第３実施例によれば、会議室の予約状況と利用状況を容易に把握することができ、利用可能な会議室を特定することができる。
【実施例４】
【００６０】
次に第４実施例について、図１１を用いて説明する。図１１は本発明の第４実施例に係るＰＣ、管理サーバ、遠隔監視サーバ、室外機、室内機の信号の流れを示す図である。
【００６１】
図１１において、会議室の予約は例えば、電子メール・予定管理ソウフトがインストールされているＰＣ４１２から行う。会議室の予約は、使用する会議室名（会議室Ａ、会議室Ｂ・・・）、日時等を指定し、管理サーバ４２０に登録する。
【００６２】
管理サーバ４２０は、例えば会議室Ａの予約時間１５分前になると、遠隔監視サーバ４３０に対し、会議室Ａの空調運転指令を送信する。
【００６３】
遠隔監視サーバ４３０は、管理サーバ４２０からの指令を受け、会議室Ａに設置された室内機２００ａ、２００ｂ及びこの室内機２００ａ、２００ｂに接続された室外機１００に空調運転指令を送信する。この指令を受け、室内機２００ａ、２００ｂ及び室外機１００は空調運転を開始する。
【００６４】
会議予約終了時間になると、管理サーバ４２０は遠隔監視サーバ４３０に対し、会議室Ａの空調運転停止指令を送信する。
【００６５】
遠隔監視サーバ４３０は、管理サーバ４２０からの指令を受け、会議室Ａに設置された室内機２００ａ、２００ｂ及びこの室内機２００ａ、２００ｂに接続された室外機１００に空調運転停止指令を送信する。この指令を受け、室内機２００ａ、２００ｂ及び室外機１００は空調運転を停止する。
【００６６】
第４実施例では、第１実施例乃至第３実施例に加え、空調予約運転の機能を追加した。
【００６７】
第４実施例によれば、会議室利用開始前から空調運転が行われるため、例えば、冬の寒い日、夏の暑い日であっても会議室が所定の温度になっているので、快適に会議室を使用することができる。
【００６８】
また、予約時間終了後は空調運転を停止するので、空調の無駄な運転を抑制できる。
【００６９】
さらにまた、空調運転が停止することで、会議の早期終了を催促することができる。
【００７０】
第４実施例では予約時間に合わせて空調運転を制御するようにしたが、人感手段２２１の検出結果に応じて空調運転を制御するようにしても良い。図６にて説明したように、管理サーバ４２０は人感手段２２１の検出結果が保存されている。この検出結果を基に空調運転の運転停止を行うようにする。管理サーバ４２０から遠隔監視サーバ４３０に空調運転の指令を行い、遠隔監視サーバ４３０が室外機１００、室内機２００に空調運転の指令を行う。
【００７１】
空調運転にあたっては、人感手段２２１が人を検出した場合は空調運転を行い、人を検出しない場合には空調運転を停止する。ただし、空調運転及び運転停止が頻繁に繰り返されるのは好ましくないので、人感手段２２１が人を検出しない場合、所定時間後に停止するようにすると良い。
【００７２】
さらには、会議室が予約されている場合においては、空調運転を継続し、人感手段２２１が人を検出した場合は設定温度に応じた空調運転を行い、人を検出しない場合には、空調運転の能力を低下した運転を行うようにしても良い。
【００７３】
また、管理サーバ４２０を介さず、人感手段２２１の検出結果を直接室内機２００に送信して運転制御するようにしても良い。
【００７４】
第１実施例乃至第４実施例では、コーナーカバー２４０に人感手段２２１を設けるようにしたが、人感手段２２１に代えてビーコン等の複数の発信手段を識別しその情報を受信する受信手段を設けるようにしても良い。
【００７５】
個人が所有する名札や社員証等に発信手段と取付け、この発信手段を所持した人が会議室に入った場合、受信手段が発信手段からの信号を受信する。発信手段は信号を発信し続ける。受信手段は発信手段からの信号を受信し、所定の間隔で受信結果を管理サーバ４２０へ送信する。これを受け、管理サーバ４２０は、表示手段２２２に所定の表示指令を行う。発信手段の信号には識別コード（ＩＤ）が付与されているので、管理サーバ４２０は、会議室に何人の人が居るのか、また、発信手段を所持した人がどこの会議室に居るか、特定することができる。
【００７６】
また、受信手段を備えた室内機を例えば病院等に設置するようにしても良い。この場合、病院に診察に来た患者は、識別コード（ＩＤ）を付与された発信手段を所持することにより、病院に来たことが特定されるので、患者の特定を以って診察の受付を完了とする。これにより、診察の受付をスムーズに行うことができ、高齢者や車椅子利用の患者は診察受付の煩わしさを解消することができる。
【００７７】
さらには老人ホーム等に設置した場合には、入所者に発信手段を所持させることにより、入所者の位置の特定に利用することができる。
【実施例５】
【００７８】
次に第５実施例について、図１２を用いて説明する。図１２は本発明の第５実施例に係る管理サーバ、遠隔監視サーバ、ＣＯ２検出手段、換気装置の信号の流れを示す図である。
【００７９】
本実施例では、第１実施例乃至第３実施例で説明した人感手段２２１に代えて、ＣＯ２検出手段２５１を設けている。また、空調設備として換気装置２６１を設置した。これらにより、換気システムを構築している。換気装置２６１は吸込口を有する着脱可能なカバーと、排気口と、ファンと、ファンを駆動するモータにて構成されている。排気口は外部と連通している。換気装置２６１のカバーは、室内側に設けられ、このカバーにＣＯ２検出手段を設けている。
【００８０】
ＣＯ２検出手段２５１（２５１ａ、２５１ｂ）は、会議室Ａ（室内）のＣＯ２濃度を検出し、検出結果を管理サーバ４２０へ送信する。ＣＯ２濃度の検出は、定期的（例えば３０秒に１回）に実行する。
【００８１】
ＣＯ２検出手段２５１（２５１ａ、２５１ｂ）の検出結果が所定のＣＯ２濃度を超えた場合、管理サーバ４２０は遠隔監視サーバに対し、会議室Ａの換気運転指令を送信する。
【００８２】
遠隔監視サーバ４３０は、管理サーバ４２０からの指令を受け、換気装置２６１（２６１ａ、２６１ｂ）に対し、運転指令を送信する。換気装置２６１（２６１ａ、２６１ｂ）はこの指令を受け、換気運転を開始する。
【００８３】
ＣＯ２検出手段２５１（２５１ａ、２５１ｂ）の検出結果が所定のＣＯ２濃度より下がった場合、管理サーバ４２０は遠隔監視サーバに対し、会議室Ａの換気運転停止指令を送信する。
【００８４】
遠隔監視サーバ４３０は、管理サーバ４２０からの指令を受け、換気装置２６１（２６１ａ、２６１ｂ）に対し、運転停止指令を送信する。換気装置２６１（２６１ａ、２６１ｂ）はこの指令を受け、換気運転を停止する。
【００８５】
会議室内の人数が多い場合や、会議時間が長くなると、ＣＯ２濃度が上昇する。ＣＯ２濃度が上昇すると、眠くなる傾向になる。そこで、本実施例はＣＯ２濃度が所定の濃度を超えた時に、換気装置を動作させて、ＣＯ２濃度を下げるようにしている。
【００８６】
第５実施例によれば、ＣＯ２濃度が所定の濃度を超えた時に、換気装置を動作させて、ＣＯ２濃度を下げるようにしているので、会議出席者の効率低下を抑制することができる。
【００８７】
第５実施例では、ＣＯ２検出手段を用いた例を示したが、検出手段はこれに限定されるものではない。例えば、第４実施例と同様にビーコン等の複数の発信手段を識別しその情報を受信する受信手段を設け、発信手段を所持している人が会議室に入ったことを把握して、空調、換気装置、照明機器等の運転を動作するようにしても良い。
【実施例６】
【００８８】
次に第６実施例について、図１３を用いて説明する。図１３は本発明の第６実施例に係るログデータの一例を図である
ＰＣ４１２からの会議室予約及び会議室の利用状況を受け、管理サーバ４２０には、会議室の予約や利用履歴が蓄積される。
【００８９】
利用履歴は、会議室の利用状況の分析や、会議室の利用に応じた使用料の請求等に利用される。管理サーバ４２０には、ログデータを表示させる機能、出力する機能を備えている。
【００９０】
表示内容としては、例えば棒グラフと円グラフのようなログデータ６０１や、横棒グラフのようなログデータ６０２等がある。
【００９１】
第６実施例によれば、会議室の予約や利用履歴に関するログデータを出力可能であり、会議室の利用状況の分析や、会議室の利用に応じた使用料の請求等を容易に行うことができる。
【００９２】
なお、本発明は、上述した実施例に限定するものではなく、様々な変形例が含まれる。上述した実施例は本発明を分かり易く説明するために詳細に説明したものであり、必ずしも説明した全ての構成を備えるものに限定するものではない。
【符号の説明】
【００９３】
１００  室外機
１０１  電力変換装置
１０２  室外機制御手段
１０３  室外熱交換器
１０４  ファン
１０５  ファンモータ
１０６  圧縮機
２００  室内機
２００ａ  室内機
２００ｂ  室内機
２００ｃ  室内機
２００ｄ  室内機
２０１  電力変換装置
２０２  室内機制御手段
２０３  室内熱交換器
２０４  ファン
２０５  ファンモータ
２０６  風向板駆動モータ
２０７  電力線
２０８  電力線
２０９  接続部
２１０  電力線
２１１  接続部
２２０  人感・表示制御手段
２２１  人感手段
２２１ａ  人感手段
２２１ｂ  人感手段
２２２  表示手段
２２２ａ  表示手段
２２２ｂ  表示手段
２２３  送信手段
２２３ａ  送信手段
２２３ｂ  送信手段
２２４  受信手段
２２４ａ  受信手段
２２４ｂ  受信手段
２２５  収納ケース
２２６  人感・表示ユニット
２３０  本体部
２３１  支持金具
２３２  ナット
２３３  化粧板
２３４  吸気口
２３５  吹出口
２３６  風向板
２３７  係合孔
２３７ａ  係合孔
２３７ｂ  係合孔
２３７ｃ  係合孔
２３８  開口部
２４０  コーナーカバー
２４０ａ  コーナーカバー
２４０ｂ  コーナーカバー
２４０ｃ  コーナーカバー
２４０ｄ  コーナーカバー
２４１  係合部
２４１ａ  係合部
２４１ｂ  係合部
２４１ｃ  係合部
２５１  検出手段
２５１ａ  検出手段
２５１ｂ  検出手段
２６１  換気装置
２６１ａ  換気装置
２６１ｂ  換気装置
３０１  会議室
３０２  会議室
４００  ネットワーク
４１０  ルーター
４１１  アクセスポイント
４１１ａ  アクセスポイント
４１１ｂ  アクセスポイント
４１２ａ  ＰＣ
４１２ｂ  ＰＣ
４１２ｃ  ＰＣ
４２０  管理サーバ
４３０  遠隔監視サーバ
６０１  ログデータ
６０２  ログデータ
【図１】
2019082290.tif 000003
【図２】
2019082290.tif 000004
【図３】
2019082290.tif 000005
【図４】
2019082290.tif 000006
【図５】
2019082290.tif 000007
【図６】
2019082290.tif 000008
【図７】
2019082290.tif 000009
【図８】
2019082290.tif 000010
【図９】
2019082290.tif 000011
【図１０】
2019082290.tif 000012
【図１１】
2019082290.tif 000013
【図１２】
2019082290.tif 000014
【図１３】
2019082290.tif 000015